(57)【要約】【課題】制御を複雑化させずに、スケーリングされた映像の斜めエッジのギザギザを改善することができるスケーリング装置を提供する。【解決手段】映像信号スケーリング装置１は、入力映像信号１０１を変換し、画素を補間した補間映像信号１１０，１１１として出力する適応型補間回路１０と、映像信号を変換して画素数を任意の倍率で拡大又は縮小するスケーリング回路２１と、上記補間映像信号１１０，１１１、又は上記入力映像信号１０１の何れかを、外部から入力されるＯＮ／ＯＦＦ制御信号１１３に基づいて、選択的にスケーリング回路２１に入力させる選択回路２５と、上記ＯＮ／ＯＦＦ制御信号１１３に基づいて、スケーリング回路２１での変換に係るパラメータを切り替えさせるスケーリング制御回路２３と、を備えている。【選択図】図１
2008011389.tif 000002
【特許請求の範囲】
【請求項１】
入力映像信号を変換して画素数を拡大又は縮小しスケーリング映像信号として出力する映像信号スケーリング装置において、
前記入力映像信号を変換し画素を補間した補間映像信号として出力する適応型補間回路と、
入力された映像信号を変換し画素数を任意の倍率で拡大又は縮小するスケーリング回路と、
前記適応型補間回路から出力された前記補間映像信号、又は前記入力映像信号の何れかを、外部から入力される選択制御信号に基づいて、選択的に前記スケーリング回路に入力させる選択回路と、
前記選択制御信号に基づいて、前記スケーリング回路での変換に係るパラメータを切り替えさせるスケーリング制御回路と、を備えたことを特徴とする映像信号スケーリング装置。
【請求項２】
前記適応型補間回路は、
前記入力映像信号の水平方向の画素数を２倍に伸張する水平伸張回路と、
前記水平伸張回路から出力された水平伸張映像信号の走査線数を２倍に伸張する垂直伸張回路と、を有し、
前記垂直伸張回路は、
前記水平伸張回路から出力された水平伸張映像信号における映像の斜め方向の相関を検出し、検出した当該相関が高い方向に基づく補間を行うことを特徴とする請求項１に記載の映像信号スケーリング装置。
【請求項３】
前記パラメータは、前記スケーリング回路での変換に係る画素数の拡大又は縮小の倍率の情報を含むことを特徴とする請求項１又は２に記載の映像信号スケーリング装置。
【発明の詳細な説明】
【技術分野】
【０００１】
本発明は、入力映像信号を変換して画素数を拡大又は縮小しスケーリング映像信号として出力する映像信号スケーリング装置に関するものである。
【背景技術】
【０００２】
映像信号には、ＮＴＳＣ、ＰＡＬ、ハイビジョン、パソコン信号等の多種のフォーマットが存在する。このような多様なフォーマットの映像信号を、種々の画素数をもつディスプレイに表示しようとする場合には、各ディスプレイの画素数に合わせて信号フォーマットを変換するスケーリング処理が必要である。このようなスケーリング処理を行うための従来のスケーリング装置として、例えば、下記特許文献１〜４に記載のものが知られている。
【特許文献１】特開２０００−５６３１１号公報
【特許文献２】特開２００４−２５４２７３号公報
【特許文献３】特開２００２−２１８２８１号公報
【特許文献４】特開２０００−１１５７２０号公報
【発明の開示】
【発明が解決しようとする課題】
【０００３】
この種のスケーリング装置では、入力映像信号の線形なスケーリングにより画素数の変換が行われる場合があるが、垂直方向の周波数成分が高い信号に対して、２倍を超えるような大きい伸張を行った場合、処理後のスケーリング映像信号の斜め方向に延びるエッジに、ギザギザ（「ジャギー」とも呼ばれる）が残るという問題があった。この対策として、スケーリング処理の前に、入力映像信号を適応型補間回路に入力して前段処理を行うことが考えられる。その一方で、入力映像信号の画素数によっては、このような前段処理が不要な場合もあり得るので、入力映像信号が上記適応型補間回路を迂回してスケーリング回路に直接入力されるルートを併設する必要がある。
【０００４】
しかしながら、この場合、スケーリング回路に入力される映像信号が２種類以上存在し、入力される映像信号の種類に応じて処理を変更させる必要が生じるので、スケーリング装置の制御を複雑化させてしまう。そこで、本発明は、制御を複雑化させずに、スケーリングされた映像の斜めエッジのギザギザを改善することができるスケーリング装置を提供することを目的とする。
【課題を解決するための手段】
【０００５】
本発明に係る映像信号スケーリング装置は、入力映像信号を変換して画素数を拡大又は縮小しスケーリング映像信号として出力する映像信号スケーリング装置において、入力映像信号を変換し画素を補間した補間映像信号として出力する適応型補間回路と、入力された映像信号を変換し画素数を任意の倍率で拡大又は縮小するスケーリング回路と、適応型補間回路から出力された補間映像信号、又は入力映像信号の何れかを、外部から入力される選択制御信号に基づいて、選択的にスケーリング回路に入力させる選択回路と、選択制御信号に基づいて、スケーリング回路での変換に係るパラメータを切り替えさせるスケーリング制御回路と、を備えたことを特徴とする。
【０００６】
この映像スケーリング装置では、入力映像信号が適応型補間回路によって変換され、画素を補間した補間映像信号として出力される。このとき、適応型補間回路は、入力映像信号の画素の補間の処理において、補間映像信号の斜めエッジのギザギザを低減する処理を行うことができる。その結果、この補間映像信号からスケーリング回路を経て得られる最終的なスケーリング映像信号においても、斜めエッジのギザギザを低減することができる。
【０００７】
また、この映像スケーリング装置の選択回路では、スケーリング回路の前段に上記適応型補間回路での処理を加えるか否かが、選択制御信号に基づいて選択される。このとき、スケーリング制御回路においても、上記の選択制御信号に基づき、スケーリング回路での変換に係るパラメータが連動して自動的に切り替えられる。従って、適応型補間回路による上記処理が加わる場合にも、加わらない場合に比して、外部からの当該映像信号スケーリング装置の制御を変える必要がない。このように、この映像信号スケーリング装置では、入力映像信号に対する適応型補間回路の処理が加わるか否かに関わらず同じ制御を行えばよいので、制御の複雑化が抑えられる。
【０００８】
また、適応型補間回路は、入力映像信号の水平方向の画素数を２倍に伸張する水平伸張回路と、水平伸張回路から出力された水平伸張映像信号の走査線数を２倍に伸張する垂直伸張回路と、を有し、垂直伸張回路は、水平伸張回路から出力された水平伸張映像信号における映像の斜め方向の相関を検出し、検出した当該相関が高い方向に基づく補間を行うことが好適である。
【０００９】
この適応型補間回路では、水平伸張回路により水平方向の画素数が２倍に伸張される。その後、走査線数を２倍に伸張する際に、垂直伸張回路により水平伸張映像信号における映像の斜め方向の相関が検出され相関が高い方向への補間を行う処理が行われることにより、得られる映像信号における斜めエッジのギザギザが軽減される。
【００１０】
また、上記パラメータの具体的な構成としては、スケーリング回路での変換に係る画素数の拡大又は縮小の倍率の情報を含む構成が挙げられる。
【発明の効果】
【００１１】
本発明の映像信号スケーリング装置によれば、制御を複雑化させずに、スケーリングされた映像の斜めエッジのギザギザを改善することができる。
【発明を実施するための最良の形態】
【００１２】
以下、図面を参照しつつ本発明に係る映像信号スケーリング装置の好適な一実施形態について詳細に説明する。
【００１３】
図１に示す映像信号スケーリング装置１は、入力３からの入力映像信号１０１を変換し、画素数を拡大又は縮小して、出力５からスケーリング映像信号１１８として出力する装置である。この装置１は、フルＨＤパネル用のテレビジョン放送受信機に用いることができ、例えば、画素数７２０×４８０のＳＤ信号をスケーリング処理し画素数１９２０×１０８０のＨＤ信号を出力することが可能である。
【００１４】
このスケーリング装置１は、入力映像信号１０１の画素数を補間する処理を行う適応型補間回路１０と、入力された映像信号の画素数を任意の倍率で拡大又は縮小するスケーリング回路２１とを備えている。更に、スケーリング装置１は、上記スケーリング回路２１に対してスケーリング制御信号１１６を出力するスケーリング制御回路２３と、スケーリング回路２１に入力させる映像信号を選択する選択回路２５とを備えている。
【００１５】
上記適応型補間回路１０は、映像信号を１Ｈ分だけ遅延させる１Ｈ遅延回路１１と、入力映像信号１０１の水平方向の画素数を２倍に伸張する水平２倍伸張回路（水平伸張回路）１３と、水平２倍伸張回路１３から出力された映像信号の走査線数を２倍に伸張する垂直斜め補間回路（垂直伸張回路）１５とを備えている。更に、適応型補間回路１０は、垂直斜め補間回路１５で誤って発生した孤立点を除去するための孤立点除去フィルタ１７を備えている。
【００１６】
このスケーリング装置１において、入力３からの入力映像信号１０１は、適応型補間回路１０に入力され、１Ｈ遅延回路１１と、水平２倍伸張回路１３とに導かれる。また、入力映像信号１０１は、適応型補間回路１０を迂回して選択回路２５にも入力される。適応型補間回路１０において、入力映像信号１０１が入力された１Ｈ遅延回路１１からは入力映像信号１０１よりも１Ｈ分だけ遅延した遅延映像信号１０３が出力され、水平２倍伸張回路１３に入力される。
【００１７】
水平２倍伸張回路１３は、入力映像信号１０１及び遅延映像信号１０３を入力し、それぞれの入力に対して、補間フィルタにより水平方向の画素数を２倍にし、水平伸張映像信号１０５及び１Ｈ遅延した水平伸張映像信号１０６を出力する。なお、上記補間フィルタとしては、例えばここでは、２点間の直線補間が用いられる。
【００１８】
垂直斜め補間回路１５は、水平伸張映像信号１０５及び１Ｈ遅延した水平伸張映像信号１０６を入力する。そして、垂直斜め補間回路１５は、隣接する信号１０５による走査線と信号１０６による走査線との間を補間する補間走査線を、補間信号１０８として生成する処理を行うことで、映像信号の走査線数を２倍に伸張する。ここで用いられる補間処理としては、次のような斜め補間の手法を用いることができる。例えば、補間される補間信号１０８の各補間画素を生成する際に、当該補間画素を各方向（斜め方向を含む）で挟む関係にある水平伸張映像信号１０５，１０６の画素対について、画素値同士の相関を検出し、検出した相関が最も高い方向を選択して、その方向で当該補間画素を挟む画素対を用いて補間演算を行い、当該補間画素を生成する。また、ここで用いられる補間処理としては、斜め補間に係る公知の手法を用いても良い。
【００１９】
そして、生成した補間信号１０８は、水平伸張映像信号１０５，１０６と一緒に、孤立点除去フィルタ１７に入力される。このように、映像信号の走査線数を伸張する際に、垂直伸張回路により映像信号の斜め方向の相関が検出され相関が高い方向への補間を行う処理が行われるので、伸張後の映像信号における斜めエッジのギザギザが軽減される。
【００２０】
上記斜め補間処理では、斜め補間回路１５において補間の方向を誤った場合に、周囲の画素と相関がない画素（孤立点）が突発的に発生する場合がある。そこで、孤立点除去フィルタ１７には、水平伸張映像信号１０５，１０６及び補間信号１０８が入力され、上記のように発生した孤立点が除去されて、第１の斜め補間伸張信号（補間映像信号）１１０と第２の斜め補間伸張信号（補間映像信号）１１１とが生成される。この第１の斜め補間伸張信号１１０及び第２の斜め補間伸張信号１１１は、適応型補間回路１０から出力され、選択回路２５に入力される。以下、第１の斜め補間伸張信号１１０と第２の斜め補間伸張信号１１１とを合わせて、「補間映像信号」と称する。
【００２１】
選択回路２５には、上述の通り、入力映像信号１０１と補間映像信号１１０，１１１とが入力され、外部から（例えば、テレビジョン放送受信機の制御用ＣＰＵから）のＯＮ／ＯＦＦ制御信号（選択制御信号）１１３が入力される。そして、選択回路２５は、ＯＮ／ＯＦＦ制御信号１１３がＯＮの場合には、補間映像信号１１０，１１１をスケーリング回路２１に出力する。また、ＯＮ／ＯＦＦ制御信号１１３がＯＦＦの場合には、選択回路２５は、入力映像信号１０１をスケーリング回路２１へ出力する。このように、スケーリング回路２１には、選択回路２５によって、補間映像信号１１０，１１１又は入力映像信号１０１の何れかが選択的に入力される。
【００２２】
すなわち、換言すると、スケーリング回路２１の前段において、適応型補間回路１０による入力映像信号１０１の処理がＯＮとなる（処理が行われる）か、ＯＦＦとなる（処理が行われない）かが、外部からのＯＮ／ＯＦＦ制御信号１１３によって、切り替えられる。例えば、スケーリング映像信号１１８としてＨＤ信号を得たい場合において、入力映像信号１０１がＳＤ信号である場合には、適応型補間回路１０による処理がＯＮとされ、入力映像信号１０１がＨＤ信号である場合には、適応型補間回路１０による処理がＯＦＦとされることが好ましい。
【００２３】
次に、スケーリング回路２１は、スケーリング制御回路２３からのスケーリング制御信号１１６に従ってパラメータを決定し、入力された映像信号の画素数を所定の倍率で拡大又は縮小し要求される画素数に変換し、スケーリング映像信号１１８として出力する。この場合、スケーリング回路２１に入力される映像信号は、上述の通り、補間映像信号１１０，１１１又は入力映像信号１０１の何れかであるが、このうち、補間映像信号１１０，１１１は、適応型補間回路１０を経由しているので、入力映像信号１０１に比較して、水平方向に２倍、垂直方向に２倍の画素数を有している。
【００２４】
ここで、スケーリング制御回路２３にも、上記のＯＮ／ＯＦＦ制御信号１１３が入力されており、スケーリング制御回路２３は、このＯＮ／ＯＦＦ制御信号１１３に基づき、スケーリング回路２１における上記パラメータを切り替えさせるように、スケーリング制御信号１１６を発生する。そして、このバラメータの切り替えは、ＯＮ／ＯＦＦ制御信号１１３のＯＮ／ＯＦＦに関わらず、スケーリング映像信号１１８の画素数が同じになるように行われる。
【００２５】
すなわち、具体的には、上記パラメータは、スケーリング回路２５で行われる画素数の拡大又は縮小の倍率（以下、「拡大縮小倍率」と称する）の情報を含んでいる。そして、スケーリング制御回路２３は、ＯＮ／ＯＦＦ制御信号１１３が「ＯＮ」の場合には、「ＯＦＦ」の場合に比べて拡大縮小倍率が１／２になるように、スケーリング回路２１における上記パラメータを切り替えさせる。なお、スケーリング制御回路２３には、入力映像信号１０１の画素数及びスケーリング映像信号１１８の画素数を示す信号が入力されており、上記拡大縮小倍率は、スケーリング制御回路２３の制御信号に含まれる入力映像信号１０１の画素数及びスケーリング映像信号１１８の画素数を基に決定される。
【００２６】
従って、適応型補間回路１０による処理のＯＮ／ＯＦＦに連動して、スケーリング回路２１におけるパラメータが切り替えられ、適切な拡大縮小倍率が自動的に適用されることになる。このことにより、適応型補間回路１０による入力映像信号１０１の処理のＯＮ／ＯＦＦに関わらず、スケーリング回路２１から出力されるスケーリング映像信号１１８の画素数を、自動的に同じにすることが可能となる。
【００２７】
以上のように、この映像信号スケーリング装置１によれば、スケーリング回路２１による処理の前の適応型補間回路１０による処理において、入力映像信号の垂直方向の伸張が、上述したような斜め補間処理を用いて行われるので、スケーリング映像信号の斜めエッジのギザギザが改善される。また、この装置１では、上記適応型補間回路１０による処理をＯＮ／ＯＦＦすることが可能であるが、この処理のＯＮ／ＯＦＦに関わらず、最終的なスケーリング映像信号１１８の画素数が同じになるように、自動的に、スケーリング処理のパラメータが選択される。その結果、この装置１は、上記適応型補間回路１０による処理がＯＮの場合でもＯＦＦの場合でも、外部から（例えば、テレビジョン放送受信機の制御用ＣＰＵから）同様の制御を行うことができる。
【図面の簡単な説明】
【００２８】
【図１】本発明に係る映像信号スケーリング装置の一実施形態を示すブロック図である。
【符号の説明】
【００２９】
１…映像信号スケーリング装置、１０…適応型補間回路、１３…水平２倍伸張回路（水平伸張回路）、１５…垂直斜め補間回路（垂直伸張回路）、２１…スケーリング回路、２３…スケーリング制御回路、２５…選択回路、１０１…入力映像信号、１０５，１０６…水平伸張映像信号、１１０，１１１…補間映像信号、１１３…ＯＮ／ＯＦＦ制御信号（選択制御信号）、１１８…スケーリング映像信号。
【図１】
2008011389.tif 000003